(57)【要約】【目的】  水素結合水すなわち還元水素水（イオン水）を、自然界の作用に頼ることなく人工的に製造できるようにすると共に、酸化還元電位が還元側（マイナス側）に大きい還元水素水の製造方法とその製造装置を提供することを目的とする。【解決手段】  水２とニッケル触媒３とを接触させて触媒処理した後に、その水２ａにマグネット４によって磁界内を通過させることによって還元水素水２ａを製造する。  この方法で製造することにより、酸化還元電位が還元側（マイナス側）に大きい還元水素水（イオン水）を製造することができる。【選択図】  図１【特許請求の範囲】
【請求項１】
水を水素化用触媒と接触させた後、その水を磁界内に通過させることを特徴とする還元水素水の製造方法
【請求項２】
前記水素化用触媒がニッケル触媒であることを特徴とする請求項１の還元水素水の製造方法
【請求項３】
前記ニッケル触媒がスポンジニッケルであることを特徴とする請求項２の還元水素水の製造方法
【請求項４】
前記水素化用触媒が卵の殻の粉末に水素を含ませたものであることを特徴とする請求項１の還元水素水の製造方法
【請求項５】
前記水素化用触媒が乾燥させたイチョウの葉の粉末に水素を含ませたものであることを特徴とする請求項１の還元水素水の製造方法
【請求項６】
少なくとも、原材料の水と水素化用触媒とを接触させるための接触容器と、その接触容器から排出された水を磁界内に通過させるための磁気発生手段を備える磁気照射部からなることを特徴とする還元水素水の製造装置
【請求項７】
前記接触容器に攪拌手段が設けられていることを特徴とする請求項４の還元水素水の製造装置
【請求項８】
前記磁気照射部が接触容器に接続された水の導水路であると共に、磁気発生手段がその導水路に近接して配置されたマグネットであることを特徴とする請求項４の還元水素水の製造装置
【請求項９】
前記マグネットが導水路を挟んで一対に、且つ異なる磁極を対向させて設けられていることを特徴とする請求項６の還元水素水の製造装置
【請求項１０】
前記一対のマグネットが導水路の延設方向に対して適数設けられ、且つ磁極がそれぞれ互い違いになるように設けられていることを特徴とする請求項７の還元水素水の製造装置
【請求項１１】
前記マグネットが高ＢＨＭＡＸの永久磁石であることを特徴とする請求項６の還元水素水の製造装置
【請求項１２】
前記高ＢＨＭＡＸの永久磁石のＢＨＭＡＸ置が４８ＭＧＯｅ以上であることを特徴とする請求項９の還元水素水の製造装置
【請求項１３】
前記接触容器の前段および／または後段にろ過フィルターが設けられていることを特徴とする請求項４の還元水素水の製造装置
【発明の詳細な説明】
【技術分野】
【０００１】
本発明は、還元水素水の製造方法とその製造装置に関するものである。
【背景技術】
【０００２】
近年、体内での酸化作用によって発生する活性酸素の脅威は多くの人が知るところである。そして、今日では活性酸素を体内から除去するための方法も種々開発されており、それらの方法によって排除が試みられている。
また、研究が進むにつれ、活性酸素を体内から除去してくれる活性水素を含む水が自然界に存在することも判明した。この水は、これを飲用することによって体内に発生した活性酸素とその水に含まれる活性水素とが結び付き、無害な水（Ｈ２Ｏ）となって体内から排出される。
【発明の開示】
【発明が解決しようとする課題】
【０００３】
しかして、上述の水は自然界の作用によって作られるものであり、また、その水が涌き出る所もフランス／ドイツ／メキシコと極めて遠方の地であり、且つ貴重な水であるため容易に入手することができないものであった。その水の酸化還元電位は−２８１ｍＶであった。
このことから、本発明は水素結合水すなわち還元水素水（イオン水）を容易に製造することができ、且つ酸化還元電位が還元側（マイナス側）に大きい還元水素水の製造方法とその製造装置を提供することを目的とするものである。
【課題を解決するための手段】
【０００４】
本発明の要旨とするところは、水を水素化用触媒と接触させた後、その水を磁界内に通過させることを特徴とする還元水素水の製造方法である。
また、少なくとも、原材料の水と水素化用触媒とを接触させるための接触容器と、その接触容器から排出された水を磁界内に通過させるための磁気発生手段を備える磁気照射部からなることを特徴とする還元水素水の製造装置である。【０００５】
本発明の還元水素水の製造方法と還元水素水の製造装置をさらに詳しく説明すると、水は蒸留水が望ましいが、普通の水道水でもよく、また、水素化用触媒と接触させる前に、適宜のフィルターを通過させてろ過するのがよい。そのフィルターの具体的な製品としては、東レ製造のトレビーノ（商標）が望ましい。
水素化用触媒としてはニッケル触媒のスポンジメタル触媒（一般にラネー触媒と呼ばれている）を用いるのが望ましく、特にスポンジニッケルからなるものがよい。そのスポンジニッケルの具体的な製品としては、日興リカ製造の粉末スポンジニッケルＲ−５０またはＲ−２０が望ましく、Ｒ−５０が最も望ましい。
他の水素化用触媒としては、鶏等の卵の殻の粉末に水素を含ませたものまたは乾燥させたイチョウの葉の粉末に水素を含ませたものを用いてもよい。すなわち、卵の殻またはイチョウの葉を粉末にしてそれに水素を含ませて触媒にしたものである。【０００６】
そして、水を水素化用触媒と接触させるのであるが、その接触とは、原材料の水と水素化用触媒とを触れさせることであり、その接触方法や接触形態も特に限定するものではない。接触の具体的な方法としては、適宜の容器に水と水素化用触媒を入れて接触させるようにしてもよい。その接触の際に攪拌してもよい。
その後、水素化用触媒と接触させた水を磁界内に通過させるのであるが、少なくとも磁気によって発生した磁界が水の中を通過するようにする。その磁界を発生させる方法や装置等も特に限定するものではないが照射する磁気は強い方がよい。また、磁界内を通過させる際、触媒が入ったままでもまた取り除いた後でもよい。【０００７】
そして、還元水素水の製造装置の具体的な形態としては、少なくとも、原材料の水と水素化用触媒とを接触させるための接触容器と、その接触容器から排出された水を磁界内に通過させるための磁気発生手段を備える磁気照射部から構成する。
接触容器とは、原材料の水と水素化用触媒（日興リカ製造の粉末スポンジニッケルＲ−２０）とを触れさせることによって触媒処理をするための容器であり、市販の適宜の素材からなるものを用いればよい。そして、容器に攪拌手段を設けてもよく、例えば、容器内に羽根を設けてその羽根をモーター等の駆動手段で回転させてもよい。勿論、市販の適宜な攪拌手段を用いてもよい。そして、水と接触させた触媒は適宜の手段（フィルター等）により、接触容器や磁気照射部あるいは完成水の排出口等の部位で水から取り除けばよい。
また、原材料となる水（水道水）を容器に注入する前にその水をフィルター（東レ製造のトレビーノ（商標））に通してから注入するようにしてもよい。【０００８】
磁気発生手段とは、磁気を発生することができるもの全てを含むものであり、例えば、電気的（電磁石）あるいは適宜の構成の装置や永久磁石等が上げられる。
磁気照射部とは、触媒処理が終了した水を磁界内に通過させるために設けている装置の適宜の箇所（部位）であり、例えば、一定量の水を貯留可能な容器、また、水を所定の部位に案内（流す）するための導水路（例えば、磁気に影響が無いホース等）であってもよい。この時、容器の入口および／または出口、導水路の入口および／または出口および／または途中に触媒を取り除くフィルターを設けてもよく、例えば、東レ製造のトレビーノ（商標）がよい。
そして、磁気の照射は、触媒処理が終了した水が磁気発生手段から発生された磁界中を通過することができるようになっていればよいが、逆に、磁界が水の中を通るようになってもよい。【０００９】
磁気照射部が導水路である場合、磁気発生手段はマグネットとするのがよく、そのマグネットをホース等の導水路に近接して配置するのがよい。近接とは、マグネットが導水路に接触状態での設置、また、適宜の隙間を開けての設置の両方を含むものである。
マグネットの配置形態も特に限定するものではないが、具体的には、導水路を挟んで一対に、且つそれぞれの異なる磁極を対向させて設けるのがよい。また、その一対のマグネットは、導水路の延設方向に対して複数対を並べて設けてもよく、その並んでいるそれぞれの磁極が互い違いになるように設けるのがよい。【００１０】
マグネットも特に限定するものではなく好適なものを用いればよいが、望ましくは、高性能マグネットすなわち高ＢＨＭＡＸの永久磁石がよい。とりわけ本発明者が考案したＹＴマグネット（商標）が適している。また、ＢＨＭＡＸ置が４８ＭＧＯｅ以上あるものがよい。
このＹＴマグネットは、内層にＣｏ−Ｆｅ−Ｙを用い、外層にＦｅ−Ｎｄ−Ｂを用いた２重構造のマグネットである。
しかし、上述の条件を満たす限り如何なるマグネットでもよく、例えば、磁化後の減衰が少ないガラスボンド磁石等のマグネットを用いてもよい。【００１１】
そして、製造装置での還元水素水の製造の際、接触容器に注入された水は接触容器を通過しさらに磁気照射部を通過して還元水素水となった水を収容する貯留容器等に流れていくのであるが、その水をどう流すかは装置の構成等を考慮して決定すればよい。例えば、高低差を利用することによって水が自然に接触容器と磁気照射部を通過して貯留容器等に流れるようにしたり、また、ポンプ等を利用して水を強制的に流すようにしてもよい。【００１２】
従って、本発明の還元水素水の製造方法はニッケル触媒の作用によって水を水素（Ｈ2）と酸素（Ｏ2）とに分離し易くし、その水に磁気（電磁誘導）を当てることによってイオン化が増進する。この方法により製造される還元水素水は、酸化還元電位が還元側（マイナス側）に大きい還元水素水（イオン水）となって、その酸化還元電位は−８００ｍＶとなる。
【発明の効果】
【００１３】
本発明の本発明の還元水素水の製造方法とその製造装置は以上のように、水を水素化用触媒と接触させた後、その水を磁界内に通過させることによって製造することができ、従って、酸化還元電位が還元側（マイナス側）に大きい還元水素水（イオン水）を簡単な構造の装置で、且つ容易に製造することができる。
これにより、還元水素水の使用に際し、従来のような自然界の作用によって作られる貴重なものに頼ることもなく、さらには、その還元水素水の酸化還元電位より還元側（マイナス側）に極めて大きい還元水素水をいつでも、且つ誰もが利用することができる。
【図面の簡単な説明】
【００１４】
【図１】本発明に係わる還元水素水の製造方法の概略図
【図２】還元水素水の製造装置の一例を示す概略図
【図３】還元水素水の水素と活性酸素との結び付きの仕組みを示す図
【符号の説明】
【００１５】
１−容器，２−水，２ａ−還元水素水，２ａ１−還元水素水の水分子，２ａ２−酸素，２ａ３−水素，３−ニッケル触媒，４−マグネット，５−接触容器，６−導水路，７−注入管，８−フィルター，８１−フィルター，９−攪拌羽根，１０−モーター，１１−ポンプ，１２−貯留容器，１３−活性酸素，１４−水分子
【発明を実施するための最良の形態】
【００１６】
本発明の還元水素水の製造方法とその製造装置を以下図面に従って説明すると、図１は、本発明に係わる還元水素水の製造方法の概略図である。
（ａ）図は、容器１に原材料の水２とニッケル触媒３を入れて触媒処理している所であり、ニッケル触媒の作用によって水を水素（Ｈ2）と酸素（Ｏ２）とに分離し易くしている。
（ｂ）図は、触媒処理した水２にマグネット４によって磁気を当てている所で、  容器１に原材料の水２とニッケル触媒３を入れて触媒処理している所であり、マグネット４の磁気（電磁誘導）によってイオン化が増進する。
（ｃ）図は、完成した還元水素水２ａである。【００１７】
図２は、還元水素水の製造装置の一例を示す概略図であり、２は原材料の水、２ａは製造された還元水素水、３はニッケル触媒、４は磁界内を通過させるためのマグネット、５は水２とニッケル触媒３を接触させるための接触容器、６は接触容器５から排出された水２を案内する導水路、７は原材料の水２の注入管、８は原材料の水２をろ過するためのフィルター、８１はニッケル触媒３を濾すためのフィルター、９は攪拌羽根、１０は攪拌羽根９の駆動用のモーター、１１は水２を強制的に流すためのポンプ、１２は製造された還元水素水２ａを貯留しておくための貯留容器である。【００１８】
先ず、注入管７を通りフィルター８でろ過された水２は接触容器５内に入り、そこで水２はニッケル触媒３と接触し、且つ攪拌羽根９によって攪拌されながら触媒処理（水を水素（Ｈ2）と酸素（Ｏ2）とに分離し易くする）される。
次に、水２は接触容器５に続く導水路６に入り、その導水路６に設置されているマグネット４の磁気（電磁誘導）によってイオン化が増進し、酸化還元電位が還元側（マイナス側）に大きい（−８００ｍＶ）還元水素水２ａ（イオン水）となっていく。また、フィルター８１によって水２と共に流れたニッケル触媒３が濾され回収される。そして、製造された還元水素水２ａは貯留容器１２に排出され貯留される。【００１９】
図３は、還元水素水の水素と活性酸素との結び付きの仕組みを示す図であり、２ａ１は還元水素水の水分子、２ａ２は酸素、２ａ３は水素、１３は活性酸素、１４は水分子である。
（ａ）図は、結び付く水素を探して活発に運動している活性酸素１３を示している。この活性酸素１３は通常の酸素より電子が１つ多い不安定な状態であることから、電子の数を安定させようと体内の正常な細胞から電子を奪おうとする。電子を奪われた細胞はやがて死滅する。
（ｂ）図は、還元水素水２ａを摂取することで、活性酸素１３によって還元水素水が抱えている水素２ａ３が引き剥がされている所を示している。
（ｃ）図は、還元水素水の水分子２ａ１が抱えている水素２ａ３を引き剥がして水分子１４（Ｈ2Ｏ）となった所を示している。
すなわち、活性酸素１３は還元水素水の水分子２ａ１から水素２ａ３をもらって無害な水分子１４となる。【００２０】
表１は、水を触媒処理した際の水の水素含有量の測定値を示す。測定方法は、５０℃に暖めた水１リットル中に触媒１０ｇを入れて３０分間攪拌し、その水中の水素濃度を、エイブル（株）製、気中・溶存水素測定装置（気中や水溶液中の水素濃度を連続測定する装置）を使用して測定した。
Ａ：ニッケルラノー触媒  Ｒ−２０  日興リカ製
Ｂ：卵の殻（粉末）の触媒  日興リカ製
Ｃ：イチョウの葉（粉末）の触媒  日興リカ製
【表１】
2005040047.tif 000002
以上から明らかなとおり、本発明法の効果が確認された。
【図１】
2005040047.tif 000003
【図２】
2005040047.tif 000004
【図３】
2005040047.tif 000005
【国際調査報告】
2005040047.tif 000006
2005040047.tif 000007
2005040047.tif 000008
2005040047.tif 000009